(57)【要約】【課題】本発明の目的は、簡易な構成により高い抗菌性能及び抗ウイルス性能を発揮することができる水処理装置を提供することにある。【解決手段】本発明に係る水処理装置は、水が収容される容器１と、前記容器１内に配置され、抗菌抗ウイルス活性の変化に伴って色が変化する水処理材２とを備える。前記水処理材２が、亜酸化銅と光半導体とを含有する。【選択図】図１
2013169503.tif 000002
【特許請求の範囲】
【請求項１】
水が収容される容器と、
前記容器内に配置され、抗菌抗ウイルス活性の変化に伴って色が変化する水処理材とを備え、
前記水処理材が、亜酸化銅と光半導体とを含有する水処理装置。
【請求項２】
前記水処理材に光を照射することができる照明手段を備える請求項１に記載の水処理装置。
【請求項３】
前記水処理材の色を検出する色検出手段と、前記色検出手段による検出結果に基づいて前記照明手段の動作を制御する制御手段とを備える請求項２に記載の水処理装置。
【請求項４】
前記水処理材の色を検出する色検出手段と、前記色検出手段による検出結果を表示する表示手段とを備える請求項１乃至３のいずれか一項に記載の水処理装置。
【発明の詳細な説明】
【技術分野】
【０００１】
本発明は、水処理装置に関する。
【背景技術】
【０００２】
従来、水中に含まれる菌類等を除去するための種々の水処理装置が、提供されている。例えば特許文献１には、紫外線透過性ガラス内管と、この内管の外側に硬質ガラス製外管を配置し、両ガラス管の上下両端を密閉して、前記内管と外管との間に流水部を形成すると共に、前記流水部の上下に夫々溝の入口又は出口を設けたユニットを、上下に配置すると共に、前記内管の内側に両ユニットに共通に殺菌ランプを配置することで浄水器用紫外線流水殺菌装置を構成することが開示されている。特許文献２には、イオン交換能を有する吸着剤を含む微多孔体を備えた吸着体と、中空糸膜モジュールとを有する浄水器が開示されている。
【０００３】
近年、インドや中国のような新興国などにおいて、簡易な水処理装置の普及が要請されている。これらの新興国では、上水道のインフラ整備が途上にあり、このため飲料水に菌やウイルスが多く含まれる可能性がある。このため、水処理装置により、飲料水等に供される水を浄化する必要性が高い。
【０００４】
しかし、上記のような殺菌ランプや中空糸膜を備える従来の水処理装置の製造コストやランニングコストが高く、このことは水処理装置の普及の妨げとなっている。
【先行技術文献】
【特許文献】
【０００５】
【特許文献１】特開平２−２２２７６６号公報
【特許文献２】特開２００１−２３２３６１号公報
【発明の概要】
【発明が解決しようとする課題】
【０００６】
本発明は上記事由に鑑みてなされたものであり、簡易な構成により高い抗菌性能及び抗ウイルス性能を発揮することができる水処理装置を提供することを目的とする。
【課題を解決するための手段】
【０００７】
本発明に係る水処理装置は、水が収容される容器と、前記容器内に配置され、抗菌抗ウイルス活性の変化に伴って色が変化する水処理材とを備え、前記水処理材が、亜酸化銅と光半導体とを含有する。
【０００８】
本発明に係る水処理装置は、前記水処理材に光を照射することができる照明手段を備えることが、好ましい。
【０００９】
本発明に係る水処理装置は、前記水処理材の色を検出する色検出手段と、前記色検出手段による検出結果に基づいて前記照明手段の動作を制御する制御手段とを備えることも、好ましい。
【００１０】
本発明に係る水処理装置は、前記水処理材の色を検出する色検出手段と、前記色検出手段による検出結果を表示する表示手段とを備えることも、好ましい。
【発明の効果】
【００１１】
本発明によれば、水処理材を利用する簡易な構成を有する水処理装置を実現し、しかもメンテナンスに大きな負担をかけることなく、この水処理装置に、高い抗菌性能及び抗ウイルス性能を長期に亘って発揮させることができる。
【図面の簡単な説明】
【００１２】
【図１】本発明の第一の実施形態を示す概略図である。
【図２】本発明の第二の実施形態を示す概略図である。
【図３】本発明の第三の実施形態を示す概略図である。
【発明を実施するための形態】
【００１３】
［第一の実施形態］
本発明に係る水処理装置の第一の実施形態について、図１を参照して説明する。
【００１４】
本実施形態では、水処理装置は、通水路７、貯水部８、フィルター部９、及び水処理部１０を備える。
【００１５】
通水路７は、処理対象の水１１が流通するため流路であり、例えばパイプなどから構成される。通水路７の一端には処理対象の水１１が供給される導入口１２が形成され、通水路７の他端には水処理装置による処理後の水を吐出する吐出口１３が形成されている。
【００１６】
通水路７の途中には、この通水路７内に生じる水流の上流側から順に、貯水部８、フィルター部９、及び水処理部１０が設けられている。貯水部８は、処理対象の水１１を貯留するために用いられる。フィルター部９は、処理対象の水１１から粒子状の汚染物質を除去するために用いられる。水処理部１０は処理対象の水１１中の菌及びウイルスを低減するために用いられる。
【００１７】
このため本実施形態に係る水処理装置では、導入口１２から通水路７へ供給された水が、まず貯水部８で貯留される。続いて水は、貯水部８からフィルタ部へ送られ、このフィルタ部において粒状の汚染物質が除去される。続いて、水は水処理部１０へ送られ、この水中の菌及びウイルスが低減される。
【００１８】
尚、本実施形態では、上記の通り水流の上流側から順に、貯水部８、フィルター部９、及び水処理部１０が設けられているが、この順番が適宜入れ替えられてもよい。また、水処理装置が、フィルター部９と貯水部８のうち少なくとも一方を備えなくてもよい。また、水処理装置は、通水路７内で水を流通させるためのポンプ、通水路７の適宜の位置での水の流通を開閉するための弁などを、更に備えてもよい。
【００１９】
貯水部８は、水を貯留し得るタンクから構成される。貯水部８の寸法、材質等に、特に制限はないが、水処理装置に要求される処理性能に応じた寸法を有することが好ましい。
【００２０】
フィルター部９は、このフィルター部９を通過する水中の不純物を除去するためのフィルター１４を備える。本実施形態では、後述する通り、水処理部１０が抗菌抗ウイルス性能を発揮する。このため、フィルター１４には細菌、ウイルス等を除去し得る程の性能までは、要求されない。このため、中空糸膜等のような高コストで複雑な構造を有するフィルター１４が使用されなくてもよい。フィルター１４の性能は、水処理装置に要求される性能に応じて適宜選択されるが、１μｍ以上の粒子等を除去可能な性能を有することが好ましい。
【００２１】
本実施形態では、水処理部１０は、容器１、水処理材２、照明手段３、色検出手段４、制御手段５、及び表示手段６を備える。
【００２２】
容器１は水処理部１０に供給される水を一時的に貯留する機能を有する。容器１の材質は特に制限されないが、本実施形態では、容器１は、透明ガラス、透明アクリル樹脂板等のような、透明な材質から形成される。
【００２３】
水処理材２は、亜酸化銅と光半導体とを含有する。水処理材２が亜酸化銅を含有することで、水処理材２が細菌・ウイルスに対し高い活性を有する。
【００２４】
また、水処理材２が光半導体を含有することで、水処理材２中の亜酸化銅の安定性が向上する。すなわち、光半導体に光が照射されると、この光半導体による光触媒作用によって、亜酸化銅における銅が一価の酸化状態で維持されやくすくなり、このため水処理材２の良好な抗菌抗ウイルス活性が維持されやすくなる。水処理材２が含有することができる光半導体としては、酸化チタン、酸化タングステン等が、挙げられる。酸化チタンは微弱な紫外光を利用して高い光触媒作用を発揮し得る点で好ましく、また酸化タングステンは可視光を利用して高い光触媒作用を発揮し得る点で好ましい。
【００２５】
水処理材２は更にバインダーを含有してもよい。この場合、水処理材２が水処理部１０内で容易に固定されるようになる。水処理材２がバインダーを含む場合、水処理材２は、例えばバインダーからなる母相内に亜酸化銅と光半導体とが分散している構造を有する。バインダーは、有機系のバインダーと無機系のバインダーのうち、いずれであってもよい。
【００２６】
有機系のバインダーの例としては、アクリル樹脂、ウレタン樹脂、アクリルポリウレタン樹脂、エポキシ樹脂、ポリエステル樹脂等が、挙げられる。アクリルウレタン樹脂が用いられる場合には、例えばアクリルポリオール樹脂、架橋剤（イソシアネート樹脂）、亜酸化銅、及び酸化チタンを含有する組成物が成形されることによって、水処理材２が形成される。
【００２７】
また、無機系のバインダーの例としては、シロキサン系の無機質樹脂が挙げられる。シロキサン系の無機質樹脂が用いられる場合には、例えば加水分解性ケイ素化合物（テトラエトキシシラン、その加水分解物等）、亜酸化銅、及び酸化チタンを含有する組成物が成形されることによって、水処理材２が形成される。
【００２８】
水処理材２中での光半導体に対する亜酸化銅の割合は、５質量％以上１００質量％以下の範囲であることが好ましく、特に１０質量％以上１００質量％以下の範囲であることが更に好ましい。また、水処理材２がバインダーを含有する場合には、水処理材２に対する光半導体の割合は１０質量％以上９６質量％以下の範囲であることが好ましく、４０質量％以上９０質量％以下の範囲であれば更に好ましい。
【００２９】
水処理材２は、この水処理材２の色が水処理部１０外から視認され得る位置に配置されることが好ましい。本実施形態では、容器１内における水が供給される空間の内面上に、水処理材２が配置されている。この場合、容器１が透明な材質から形成されているため、水処理材２の色が水処理部１０外から容易に視認される。
【００３０】
照明手段３は、水処理材２に光を照射するために用いられる。照明手段３の例としては、蛍光灯、発光ダイオード、水銀灯、ハロゲンランプ、ブラックライト、青色蛍光ランプ等の適宜の光源を備える照明装置が挙げられる。照明手段３における光源は、照明手段３から光半導体を励起させる波長を含む光が発せられるように、適宜選択される。照明手段３は、この照明手段３の光源から出射する光が水処理材２へ照射され得るような位置に、配置される。本実施形態では、照明手段３は、容器１の外側に配置され、且つ、光源からの容器１内の水処理材２へ向けて光が出射するように配置される。この場合、容器１が透明であるため、光源から出射する光は容器１を透過して水処理材２へ照射される。尚、照明手段３の光源が容器１の内側に配置されることで、光源から水処理材２へ直接光が照射されてもよい。
【００３１】
色検出手段４は、水処理材２の色を検出するために用いられる。色検出手段４としては、色差計、分光測色計、色彩輝度計、カラーセンサ等の適宜の装置が用いられる。色検出手段４は、水処理材２からの反射光の色を検出してもよく、水処理材２を透過する透過光の色を検出してもよい。本実施形態では、色検出手段４は、容器１の外側に配置される。この場合、容器１は透明であるため、色検出手段４によって容器１越しに水処理材２の色が検出される。尚、色検出手段４が容器１の内側に配置されてもよい。
【００３２】
制御手段５は、色検出手段４による検出結果に基づいて照明手段３の動作を制御する機能を有する。制御手段５は、例えばコンピュータにおけるプロセッサ装置などから構成される。制御手段５及び照明手段３は、例えば次のように動作する。
【００３３】
制御手段５には、色検出手段４による検出結果の情報が送られる。この検出結果に基づいて、制御手段５が、水処理材２の抗菌抗ウイルス活性の状態を判断する。照明手段３から光が出射していない状態において、水処理材２の抗菌抗ウイルス活性が低下していないと制御手段５が判断する場合には、制御手段５は、照明手段３から光が出射しない状態を維持する。照明手段３から光が出射していない状態において、水処理材２の抗菌抗ウイルス活性が低下していると制御手段５が判断する場合には、制御手段５は、照明手段３に制御信号を送ることで、照明手段３から水処理材２へ向けて光を出射させる。照明手段３から光が出射している状態において、水処理材２の抗菌抗ウイルス活性が低下していると制御手段５が判断する場合には、制御手段５は、照明手段３から光が出射する状態を維持する。照明手段３から光が出射している状態において、水処理材２の抗菌抗ウイルス活性が低下していないと制御手段５が判断する場合には、制御手段５は、照明手段３に制御信号を送ることで、照明手段３から水処理材２への光の出射を停止させる。
【００３４】
本実施形態では、制御手段５が照明手段３の動作を制御するため、水処理材２の抗菌抗ウイルス活性が低下してこの水処理材２の色が変化し、この水処理材２の色が色検出手段４によって検出されると、制御手段５による制御を受けた照明手段３が水処理材２へ光を照射する。そうすると、水処理材２中の光半導体が励起され、この光半導体の光触媒作用によって、水処理材２中の銅が、例えば二価の酸化状態から一価の酸化状態へ変化するなどして、効率良く活性化される。これにより、水処理材２の抗菌抗ウイルス活性が速やかに回復する。このため、水処理部１０は、処理対象の水１１中の菌及びウイルスを低減する機能を、長期に亘って発揮することができる。
【００３５】
色検出手段４による検出結果に基づく、水処理材２の抗菌抗ウイルス活性の判断手法としては、適宜の手法が採用される。判断のための指標としては、例えば色検出手段４によって検出される色座標等の値、色検出手段４によって検出される特定の波長の光の反射率や透過率などの値、色検出手段４によって検出される光のスペクトルにおける特定波長の光の強度の値などが、挙げられる。例えば制御手段５は、指標の値が、予め設定されている範囲に収まる場合に水処理材２の抗菌抗ウイルス活性が低下していないと判断し、指標が前記範囲外である場合に水処理材２の抗菌抗ウイルス活性が低下していると判断することができる。また、制御手段５は、予め設定されている基準となる色と、色検出手段４によって検出される色との間の色差を導出し、色差が予め設定されている範囲に収まる場合に水処理材２の抗菌抗ウイルス活性が低下していないと判断し、色差が予め設定されている範囲外である場合に水処理材２の抗菌抗ウイルス活性が低下していると判断することもできる。
【００３６】
また、表示手段６は、色検出手段４による検出結果を表示するために用いられる。表示手段６は、例えば表示ランプ、液晶表示装置、電光掲示装置等の、適宜の装置で構成される。表示手段６は、色検出手段４による色の検出結果の数値等をそのまま表示してもよく、また色の検出結果に基づいて判断される水処理材２の抗菌抗ウイルス活性の程度を表示してもよい。
【００３７】
本実施形態では、制御手段５が、色検出手段４による検出結果に基づいて表示手段６の動作を制御する機能も有する。例えば、制御手段５が、色検出手段４による検出結果に基づいて、水処理材２の抗菌抗ウイルス活性が低下していないと判断する場合には、制御手段５は、表示手段６に制御信号を送ることで、表示手段６に、水処理材２の抗菌抗ウイルス活性が充分に高いことを表示させる。また、制御手段５が、色検出手段４による検出結果に基づいて、水処理材２の抗菌抗ウイルス活性が低下していると判断する場合には、制御手段５は、表示手段６に制御信号を送ることで、表示手段６に、水処理材２の抗菌抗ウイルス活性が低下していることを表示させる。尚、制御手段５が、色検出手段４による検出結果に基づいて、表示手段６に制御信号を送ることで、表示手段６に、検出結果の数値等を表示させてもよい。
【００３８】
このように表示手段６が色検出手段４による検出結果を表示するため、表示手段６を見る者が、水処理部１０における水処理材２の抗菌抗ウイルス活性を容易に認識することができる。このため、例えば表示手段６を見ることで水処理材２の抗菌抗ウイルス活性が低いことを認識した者が、水処理装置による水の処理を停止させたり、水処理部１０を取り替えたり、水処理材２を取り替えたりするなどの、対処をすることができる。
【００３９】
また、本実施形態では、水処理部１０の外部から水処理材２の色が視認できるため、水処理部１０を見る者が、水処理材２の色に基づいて、水処理材２の抗菌抗ウイルス活性を認識することもできる。このため、例えば水処理材２の色を見ることで水処理材２の抗菌抗ウイルス活性が低いことを認識した者が、水処理装置による水の処理を停止させたり、水処理部１０を取り替えたり、水処理材２を取り替えたりするなどの、対処をすることもできる。
【００４０】
以上のことから、本実施形態では、水処理材２を利用する簡易な構成を有する水処理装置を実現することができる。しかもメンテナンスに大きな負担をかけることなく、この水処理装置に、高い抗菌性能及び抗ウイルス性能を長期に亘って発揮させることができる。しかも殺菌ランプや中空糸膜等のような設備は必要とされないため、設備コスト及びランニングコストが低いものである。
【００４１】
［第二の実施形態］
本発明に係る水処理装置の第二の実施形態について、図２を参照して説明する。
【００４２】
本実施形態では、水処理装置は、通水路７と、貯水部８を兼ねる水処理部１０と、フィルター部９とを備える。
【００４３】
通水路７は、処理対象の水１１が流通するため流路であり、例えばパイプなどから構成される。通水路７の一端には処理対象の水１１が供給される導入口１２が形成され、通水路７の他端には水処理装置による処理後の水を吐出する吐出口１３が形成されている。
【００４４】
通水路７の途中には、この通水路７内に生じる水流の上流側から順に、水処理部１０、及びフィルター部９が設けられている。水処理部１０は、上記の通り貯水部８を兼ねる。この水処理部１０は、処理対象の水１１を貯留するため、並びに処理対象の水１１中の菌及びウイルスを低減するために、用いられる。フィルター部９は、処理対象の水１１から粒子状の汚染物質を除去するために用いられる。
【００４５】
このため本実施形態に係る水処理装置では、導入口１２から通水路７へ供給された水が、まず水処理部１０で貯留される。この水処理部１０内で、処理対象の水１１中の菌及びウイルスが低減される。続いて水は。水処理部１０からフィルタ部へ送られ、このフィルタ部において粒状の汚染物質が除去される。
【００４６】
尚、本実施形態では、上記の通り水流の上流側から順に、水処理部１０、及びフィルター部９が設けられているが、上流側から順に、フィルター部９及び水処理部１０が設けられてもよい。また、水処理装置が、フィルター部９を備えなくてもよい。また、水処理装置は、通水路７内で水を流通させるためのポンプ、通水路７の適宜の位置での水の流通を開閉するための弁などを、更に備えてもよい。
【００４７】
本実施形態では、水処理部１０は、容器１、水処理材２、照明手段３、色検出手段４、制御手段５、及び表示手段６を備える。
【００４８】
容器１は水処理部１０に供給される水を一時的に貯留する機能を有する。容器１は、水処理装置に要求される処理性能に応じた寸法を有することが好ましい。容器１の材質は特に制限されないが、本実施形態では、容器１は、透明ガラス、透明アクリル樹脂板等のような、透明な材質から形成される。
【００４９】
本実施形態における水処理材２、照明手段３、色検出手段４、制御手段５、及び表示手段６は、第一の実施形態における水処理材２、照明手段３、色検出手段４、制御手段５、及び表示手段６と同じ構成を有するために、その説明を省略する。
【００５０】
また、本実施形態におけるフィルター部９は、第一の実施形態におけるフィルター部９と同じ構成を有するために、その説明を省略する。
【００５１】
本実施形態は、第一の実施形態の場合と同様の作用効果を奏する。更に、本実施形態では、水処理部１０が貯水部８を兼ねるため、水処理装置の小型化が可能となる。
【００５２】
［第三の実施形態］
本発明に係る水処理装置の第三の実施形態について、図３を参照して説明する。
【００５３】
本実施形態では、水処理装置は、通水路７と、貯水部８と、フィルター部９を兼ねる水処理部１０とを備える。
【００５４】
通水路７は、処理対象の水１１が流通するため流路であり、例えばパイプなどから構成される。通水路７の一端には処理対象の水１１が供給される導入口１２が形成され、通水路７の他端には水処理装置による処理後の水を吐出する吐出口１３が形成されている。
【００５５】
通水路７の途中には、この通水路７内に生じる水流の上流側から順に、貯水部８、及びフィルター部９を兼ねる水処理部１０が、設けられている。水処理部１０は、上記の通りフィルター部９を兼ねる。貯水部８は、処理対象の水１１を貯留するために用いられる。水処理部１０は、処理対象の水１１中の菌及びウイルスを低減するため、並びに処理対象の水１１から粒子状の汚染物質を除去するために、用いられる。
【００５６】
このため本実施形態に係る水処理装置では、導入口１２から通水路７へ供給された水が、まず貯水部８で貯留される。続いて水は、貯水部８から水処理部１０へ送られる、この水処理部１０において、処理対象の水１１中の菌及びウイルスが低減される。更に、水処理部１０において、処理対象の水１１から粒状の汚染物質が除去される。
【００５７】
尚、本実施形態では、上記の通り水流の上流側から順に、貯水部８、及び水処理部が設けられているが、上流側から順に、水処理部１０及び貯水部８が設けられてもよい。また、水処理装置が、貯水部８を備えなくてもよい。また、水処理装置は、通水路７内で水を流通させるためのポンプ、通水路７の適宜の位置での水の流通を開閉するための弁などを、更に備えてもよい。
【００５８】
本実施形態では、水処理部１０は、容器１、水処理材２、及びフィルター１４を備える。
【００５９】
容器１は水処理部１０に供給される水を一時的に貯留する機能を有する。容器１の材質は特に制限されないが、本実施形態では、容器１は、透明ガラス、透明アクリル樹脂板等のような、透明な材質から形成される。
【００６０】
フィルター１４は、水処理部１０を通過する水中の不純物を除去するために用いられる。このフィルター１４には、細菌、ウイルス等を除去し得る程の性能までは、要求されない。このため、中空糸膜等のような高コストで複雑な構造を有するフィルター１４が使用されなくてもよい。フィルター１４の性能は、水処理装置に要求される性能に応じて適宜選択されるが、１μｍ以上の粒子等を除去可能な性能を有することが好ましい。
【００６１】
水処理材２は、亜酸化銅と光半導体とを含有する。水処理材２は、更にバインダーを含有してもよい。この水処理材２の成分、組成、形成方法等の詳細は、第一の実施形態の場合と同じであるため、説明を省略する。
【００６２】
本実施形態では、水処理材２がフィルター１４上に配置されている。この場合、容器１が透明な材質から形成されているため、水処理部１０外からフィルター１４が容易に視認され、このためフィルター１４上に配置されている水処理材２の色も、水処理部１０外から容易に視認される。
【００６３】
このため、本実施形態では、水処理部１０を見る者が、水処理材２の色に基づいて、水処理材２の抗菌抗ウイルス活性を認識することができる。このため、例えば水処理材２の色を見ることで水処理材２の抗菌抗ウイルス活性が低いことを認識した者が、水処理装置による水の処理を停止させたり、水処理部１０を取り替えたり、水処理材２をフィルター１４ごと取り替えたりするなどの、対処をすることもできる。
【００６４】
尚、本実施形態における水処理部１０は、第一の実施形態の場合と同様に、照明手段３、色検出手段４、制御手段５、表示手段６等を、更に備えてもよい。また、水処理材２が、第一の実施形態の場合と同様に容器１の内面上に配置されてもよい。
【実施例】
【００６５】
水処理材の抗菌抗ウイルス活性の変化と、水処理材の色が変化との間の関連性を確認するため、次に示す試験をおこなった。
【００６６】
亜酸化銅（和光純薬工業株式会社製、純度９９．５％）をエタノールに分散させることで、濃度２０質量％の分散液を得た。光触媒の分散液としては、石原産業株式会社製の紫外光型光触媒の分散液（品番ＳＴＳ−０１、固形分割合２０質量％）を用いた。また、バインダーの溶液としては、コルコート株式会社製のコルコートＮ１０３Ｘ（固形分濃度３質量％）を用いた。
【００６７】
亜酸化銅の分散液０．５質量部、光触媒の分散液１０質量部、及びバインダーの溶液５０質量部を混合することで、固形分濃度６質量％のコーティング液組成物を得た。尚、このコーティング液組成物中の全固形分に対し、亜酸化銅の割合は３質量％、紫外光型光触媒の割合は５６質量％、バインダーの割合は４２質量％である。
【００６８】
このコーティング液組成物を、ポリエチレンテレフタレート製のフィルム上に、バーコータ（＃２０）を用い塗布し、続いて１２０℃で１０分間乾燥させることで、フィルム上に水処理材を形成した。これにより、水処理材を備えるサンプルを得た。
【００６９】
容量１００ｃｍ3のサンプル管内を蒸留水で満たし、この蒸留水中に、サンプルを浸漬させた。サンプルを蒸留水に浸漬してから７日目、及び５０日目に、サンプルを取り出して、このサンプルにおける水処理材の抗菌活性を、ＪＩＳ  Ｒ１７０２に従うフィルム密着法により評価した。尚、この試験時における曝露時間は０．５時間とした。
【００７０】
その結果、後掲の表１に示すように、試験開始日での水処理材の抗菌活性は５．０であったものが、試験開始日から７日目では１．９に低下し、更に試験開始日から５０日目では０．９まで低下した。
【００７１】
また、この水処理材の、試験開始日を基準とする色差（ΔＥ）を、分光測色計で測定したところ、後掲の表１に示すように、試験開始日から７日目では１１．４４であり、試験開始日から５０日目では１５．２６となった。
【００７２】
これにより、水処理材の抗菌抗ウイルス活性の変化に伴って、この水処理材の色が変化することが、確認された。
【００７３】
【表１】
2013169503.tif 000003
【符号の説明】
【００７４】
１    容器
２    水処理材
３    照明手段
４    色検出手段
５    制御手段
６    表示手段
【図１】
2013169503.tif 000004
【図２】
2013169503.tif 000005
【図３】
2013169503.tif 000006